(57)【要約】【課題】連結された複数のターボ圧縮機の、社内実務的に知られている負荷分散調節を改善する。【解決手段】少なくとも２台のターボ圧縮機（１．１、２．１）の制御において、それぞれのターボ圧縮機はそれぞれのポンプ限界曲線（Ｐ１、Ｐ２）までの距離を保つための一つの制御装置（１．２、２．２）を有しており、各ターボ圧縮機についてそのポンプ限界曲線までの第１の距離（Ａ１．１、Ａ２．１）が求められ、及び、前記制御装置内において、保持すべき距離が、前記第１の距離（Ａ１．１、Ａ２．１）から微調整可能であって、これら少なくとも２台のターボ圧縮機（１．１、２．１）を制御するために、一つの制御装置（２．２）の前記保持すべき距離（Ａ２．２）が、もう一方の制御装置（１．２）の微調整（Ａ１．１→Ａ１．２）に基づいて、総プロセス変量（ｄＶ／ｄｔ）が略一定に保たれるよう、その第１の距離（Ａ２．１）から微調整される。【選択図】図２
2010159741.tif 000002
【特許請求の範囲】
【請求項１】
それぞれのターボ圧縮機が、それぞれのポンプ限界曲線（Ｐ１、Ｐ２）までの距離を保持するための一つの制御装置（１．２、２．２）を備える、少なくとも２台のターボ圧縮機（１．１、２．１）の制御方法であって、各ターボ圧縮機について、そのポンプ限界曲線までの第１の距離（Ａ１．１、Ａ２．１）が計算され、また、前記保持すべき距離が、前記制御装置内において前記第１の距離（Ａ１．１、Ａ２．１）から微調整可能である制御方法において、一つの制御装置（２．２）の前記保持すべき距離（Ａ２．２）が、もう一方の制御装置（１．２）の微調整（Ａ１．１→Ａ１．２）に基づいて、総プロセス変量（ｄＶ／ｄｔ）が略一定になるよう、その第１の距離（Ａ２．１）から微調整されることを特徴とする方法。
【請求項２】
前記第１の距離がすべての制御装置について略同一であることを特徴とする、請求項１に記載の方法。
【請求項３】
前記総プロセス変量に、総吐出量、総吐出体積（ｄＶ／ｄｔ）、総吸引圧力、総最終圧力、及び／又は総圧縮比（Δｐ）が含まれることを特徴とする、請求項１または２に記載の方法。
【請求項４】
一つの制御装置の前記保持すべき距離が、その他の制御装置の微調整に基づいて、総プロセス変量が略一定に保たれるように、その第１の距離から微調整される、３台又はそれ以上のターボ圧縮機の制御が行われることを特徴とする、請求項１から３のいずれか一項に記載の方法。
【請求項５】
前記保持すべき距離が、その他の制御装置の微調整に基づいて、個々の制御装置の微調整の比又は差が、互いの間で又は互い同士で、それら制御装置の所与の微調整の比又は差に、互いの間で又は互い同士で略対応するように、制御装置内においてその第１の距離から微調整されることを特徴とする、請求項１から４のいずれか一項に記載の方法。
【請求項６】
前記制御装置が互いに微調整を伝達し合い、及び、ある一つの制御装置の保持すべき距離が、伝達されたその他の制御装置の微調整に基づいて、その第１の距離から微調整されることを特徴とする、請求項１から５のいずれか一項に記載の方法。
【請求項７】
各ターボ圧縮機のポンプ限界曲線までの距離を保つための制御装置（１．２、２．２）を有する、少なくとも２台のターボ圧縮機（１．１、２．１）の制御システムであって、前記制御装置が、請求項１から６のいずれか一項に記載の方法を実行するために設定されていることを特徴とするシステム。
【請求項８】
請求項１から６のいずれか一項に記載の方法を実行するためのプログラムコードを有するコンピュータプログラム製品であって、該プログラムをコンピュータで実行する場合の、コンピュータプログラム製品。
【発明の詳細な説明】
【技術分野】
【０００１】
本発明は、一つの複合体に統合された２台又はそれ以上のターボ圧縮機の請求項１のおいて書きに記載した制御法、及び、そのような方法を実行するためのシステム及びコンピュータプログラムに関する。
【背景技術】
【０００２】
ターボ圧縮機の特性要因図は、ポンプ限界曲線により一つの安定領域及び一つの不安定領域に分割される。ポンピングが生じるのは、ターボ圧縮機の運転点が、吐出量低下により、又は、圧縮比の上昇により、前記特性要因図の前記不安定領域に入った場合である。これにより、圧縮された媒体の周期的な吐出及び逆流が起こり、また頻繁にターボ圧縮機内の高振動、サージ、急速な温度上昇が伴う。その結果、例えばベアリング損傷、こすれによる損傷、インペラ損傷、又はブレード損傷が起こる可能性があり、それらは運転中断につながる可能性がある。
【０００３】
これを回避するために、前記ポンプ限界曲線に対して固定の又はあらかじめ設定可能な距離を保つための制御装置が知られており、該制御装置によりターボ圧縮機の運転点が制御され、例えば、その回転数が相応に変更されたり又はアンロード弁が開放されたりする。以下、調節、つまりフィードバックされた実測値及び該実測値と基準値との比較に基づいた制御も、制御と称される。
【０００４】
ポンピングは優先的に回避する必要があるため、複数のターボ圧縮機が共同で一つの媒体を吐出するように連結されている場合、一般的に、各圧縮機について一つの、該圧縮機とポンプ限界曲線との距離を保つための制御装置が設けられている。
【０００５】
これら制御装置の協調が行わなれなければ、複数の制御装置が互いに拮抗することにより、個々のターボ圧縮機の不均一な負荷分散、及び、全体システムの不安定化につながる可能性がある。
【０００６】
したがって社内実務的には、すべての圧縮機においてそれぞれのポンプ限界曲線から略同一の距離が保たれるように個々のターボ圧縮機の運転点を選択することによる負荷分散調節が知られている。この負荷分散は中央コントローラ又は上位のコントローラなしで機能し、個々の圧縮機の制御装置の相互通信に基づいている。
【０００７】
これに対して特許文献１では、負荷分散が個々の圧縮機の吐出体積係数に基づいて行われる中央制御装置が提案されている。特許文献２では、連結された複数の圧縮機の負荷分散のために、全体の仕事を最小限にすることが提案されている。特許文献３では一つの優位な圧縮機が選ばれ、この圧縮機に応じて個々の圧縮機の運転点が決定される。これらのコンセプトにおいては、負荷分散においてポンプ限界曲線までの距離は考慮されていない。
【０００８】
上述の、社内実務的に知られている負荷分散調節においては、個々の制御装置の手動の微調整が行われ、この手動の微調整により、ポンプ限界曲線までの保つべき距離を、すべての圧縮機について略同一の一つの距離から変更することが可能である。本書でいう微調整とは、一つの制御装置が一つのターボ圧縮機について保とうとする、ポンプ限界曲線までの距離をずらすことを指す。このような微調整により、例えば、意図的に個々の圧縮機にいっそう負荷をかけたり、負荷を軽減したり、又は、そのポンプ限界に近づけたり遠ざけたりして運転するために、個々のターボ圧縮機の運転点をずらすこと、つまり負荷分散調節をある程度手動で過剰制御することが可能である。
【０００９】
しかしながら、社内実務的に知られている前記負荷分散調節においては、すべてのターボ圧縮機についてポンプ限界曲線からの距離が略同一である距離が、連結された複数の圧縮機が全体として所望の全体プロセス変量、たとえば総吐出量及び総圧縮比を示すように選ばれる一方で、個々の制御装置の手動の微調整が残りのターボ圧縮機を考慮せずに行われると、この全体プロセス変量の変化が所望しないものになる。たとえば２台のターボ圧縮機の複合体において、一方の圧縮機のポンプ限界までの距離のみを減少させた場合、このことは、圧縮比が同じであれば、その吐出量低下につながり、それにより、該複合体の総吐出量の所望されない低下につながる。
【００１０】
特許文献４では、総プロセス変量を保つために、複数のローカルなポンプ限界コントローラを一緒に調節する一つの中央コントローラが提案されている。個々の制御装置を意図的に微調整することは行われない。
【先行技術文献】
【特許文献】
【００１１】
【特許文献１】米国特許第６６０２０５７号明細書
【特許文献２】米国特許第５７４３７１４号明細書
【特許文献３】米国特許第６２３３９５４号明細書
【特許文献４】米国特許第５３４７４６７号明細書
【発明の概要】
【発明が解決しようとする課題】
【００１２】
本発明の課題は、社内実務的に知られている、前記の負荷分散調節を改善することである。
【課題を解決するための手段】
【００１３】
この課題を解決するために、請求項１のおいて書きに記載の方法を、その特徴的要件により発展させる。請求項７はそのような方法を実行するシステムに関するものであり、請求項８は、対応するプログラムコードを持つコンピュータプログラム製品又はデータ媒体に関する。従属請求項は好適な発展形に関する。
【００１４】
一つの総プロセス変量を実現するために２台又はそれ以上のターボ圧縮機を連結して一つの複合体にすることができる。そのためたとえば２列又はそれ以上のターボ圧縮機トレインを並列に連結し、一緒に、吸引圧力と最終圧力との間の総圧縮比及び総吐出量を設定することができる。一列又は複数のこのターボ圧縮機トレインに、さらに、２列又はそれ以上のターボ圧縮機トレインを直列に連結することができる。
【００１５】
これらのターボ圧縮機の少なくとも２台には、それぞれのターボ圧縮機のポンプ限界曲線までの、望ましくはあらかじめ設定可能な距離又は自ずと生じる距離を保つための制御装置がそれぞれ一つ備わっている。これらの制御装置によりたとえばそれぞれのターボ圧縮機の回転数の変更及び／又はアンロード弁の開放を行うことができる。
【００１６】
これらのターボ圧縮機のために、そのポンプ限界曲線までの第１の距離が計算される。連結された複数の圧縮機における性能分散を最適にするため、この第１の距離は望ましくはすべての制御装置について略同一の値とすることができる。
【００１７】
保持すべき距離は、制御装置内において、この第１の距離から微調整することが可能である。つまり、該制御装置が、この第１の距離の代わりに、微調整された距離の方を保持しようとするように、制御装置を設定することができる。微調整可能な制御装置を用いたこのような負荷分散調節は、社内実務的にすでに知られている。
【００１８】
本発明においては、少なくとも一つの制御装置の保持すべき距離は、その第１の距離から、その他の制御装置の微調整を基に、総プロセス変量が略一定になるように微調整される。その他の制御装置の微調整を考慮することにより、たとえば総吐出量、総吐出体積、総吸引及圧力び／又は最終圧力、及び／又は、総圧縮比の変化など、総プロセス変量の望まない変化及び不利な変化を、一つの制御装置の微調整により回避することができる。
【００１９】
たとえば並列に吐出を行う３台の圧縮機、又は、直列に連結された２台の圧縮機と第３の圧縮機とが全体として並列に吐出を行うなど、３台又はそれ以上の圧縮機が連結されている場合、そのような複合体の自由度はより高い。それによりこの場合一台又は複数の制御装置を微調整することができる。本発明により、微調整された制御装置の微調整に基づいて残りの制御装置が微調整されると、ここでも総プロセス変量の望まない変化を回避することができる。
【００２０】
特に好適となる可能性があるのは、ある一つの制御装置がその保持すべき距離を、その他の制御装置から伝達された微調整に基づいてその第１の距離から微調整するために、複数の制御装置が互いにその微調整を伝達し合う場合である。このときこれら複数の微調整はたとえば、まず第１の制御装置の一つの微調整が与えられ、この第１の制御装置から他の制御装置に伝送されることによりインタラクティブに決定されることができる。これら他の制御装置はまた、第１の制御装置の微調整を相殺するためにそれぞれが微調整を行う。これらその他の制御装置の微調整は、第１の制御装置に伝達される。その他の制御装置の微調整は、当初与えられた第１の制御装置の微調整を相殺するものであるため、第１の制御装置内ではさらなる微調整は行われない。同様に、すべての制御装置の微調整も一緒に決定することができる。
【００２１】
特に、すべての所与の微調整が同時に実現されると総プロセス変量が変化してしまう場合、好適な実施形態においては、保持すべき複数の距離は複数の制御装置内において、一方では総プロセス変量が略一定に保たれるよう、及び、他方では、個々の制御装置の微調整の比又は差が互いの間で又は互い同士で、所与の微調整の比に略対応するように、その他の制御装置の微調整に基づいてその第１の距離から微調整される。
【００２２】
さらなる長所及び特徴は、従属請求項及び実施例から理解できる。
【図面の簡単な説明】
【００２３】
【図１】本発明の実施形態による、連結された２台のターボ圧縮機の複合体及びこれらを制御するための本発明によるシステムの図式化された図である。
【図２】図１に記載された２台のターボ圧縮機の特性要因図である。
【発明を実施するための形態】
【００２４】
以下、本発明の実施の形態について、図を用いて詳細に説明する。
【００２５】
図１には、並列に連結された２台のターボ圧縮機１．１、２．１の複合体が示されている。各ターボ圧縮機には、ポンプ限界曲線Ｐ１又はＰ２（図２）までの距離を保つための一つの制御装置１．２又は２．２が設けられており、該制御装置は、この距離を保つためにたとえばそれぞれの圧縮機の回転数を変化させたり及び／又はアンロード弁１．３又は２．３を開く。図１の破線の両矢印が示すように、前記２台の制御装置１．２、２．２は互いに交信し、特に、ポンプ限界曲線に対して保つべき距離を交互に伝達し合っている。
【００２６】
図２を参照しながら、前記複合体を制御するための本発明の一つの実施例に基づく方法について詳細に説明する。
【００２７】
図２には前記２台のターボ圧縮機１．１、２．１の特性要因図が、吐出体積ｄＶ／ｄｔに関する圧縮比Δｐの形で表現されている。このために２台の圧縮機についてそれぞれポンプ限界曲線Ｐ１又はＰ２、及び、いくつかの一定回転数の線ｎ１．１、ｎ１．２又はｎ２．１、ｎ２．２が示されている。
【００２８】
まず、所望の総吐出体積ｄＶ／ｄｔ及び総圧縮比Δｐのために、社内実務的に知られた負荷分散調節により両ターボ圧縮機について、それぞれのポンプ限界曲線Ｐ１又はＰ２までの同一の第１の距離Ａ１．１＝Ａ２．１が計算される。これについて図２では、これら２つのポンプ限界曲線Ｐ１、Ｐ２までの距離を示す曲線が一点破線で示されており、微調整されていない制御装置の場合、この曲線の上に両ターボ圧縮機の運転点Ｂ１．１又はＢ２．１がある。
【００２９】
第１の制御装置１．２においては、保持すべき距離は、操作者が、より短い、保持すべき距離Ａ１．２を与えることにより、第１の距離Ａ１．１から手動で微調整される。これにより第１のターボ圧縮機１．１の運転点もＢ１．２に移動し、その吐出体積はΔ（ｄＶ／ｄｔ）だけ下がる。
【００３０】
Ａ１．１からＡ１．２への微調整は、第１制御装置１．２から第２制御装置２．２に伝達される。第２制御装置２．２においては、総吐出体積ｄＶ／ｄｔが略一定になるように、前記微調整Ａ１．１→Ａ１．２に基づいて、保持すべき距離Ａ２．２が、その第１の距離Ａ２．１から微調整される。
【符号の説明】
【００３１】
１．１            第１ターボ圧縮機
１．２            第１制御装置
１．３            第１アンロード弁
２．１            第２ターボ圧縮機
２．２            第２制御装置
２．３            第２アンロード弁
Ａ１．１、Ａ２．１  第１の距離
Ａ１．２、Ａ２．２  保持すべき距離
Ｂ１．１、Ｂ２．１  運転点
Ｂ１．２、Ｂ２．２  微調整された運転点
ｄＶ／ｄｔ          総吐出体積
Δｐ                総圧縮比
Ｐ１、Ｐ２          第１ポンプ限界曲線、第２ポンプ限界曲線
【図１】
2010159741.tif 000003
【図２】
2010159741.tif 000004